(57)【要約】【課題】電動と手動の両方の手段により操作可能な窓開閉装置及び開閉窓を提供する。【解決手段】建物開口部に取付けられる枠体１内に障子２が開閉機構５を介して開閉自在に納められた窓の開閉機構５を駆動する駆動部３０と、駆動部３０を手動で回転操作する操作部３１とを有し、駆動部３０には一端に操作部３１を取付可能な着脱部３３を有する回転伝達軸３２が連結され、回転伝達軸３２の中間位置には電動モータ４１と連係可能な連係回転部３４が設けられている。【選択図】図１
2008038368.tif 000002
【特許請求の範囲】
【請求項１】
建物開口部に取付けられる枠体内に障子が開閉機構を介して開閉自在に納められた窓の前記開閉機構を駆動する駆動部と、該駆動部を手動で回転操作する操作部とを有した窓開閉装置において、
前記駆動部には一端に前記操作部を取付可能な着脱部を有する回転伝達軸が連結され、該回転伝達軸の中間位置には電動モータと連係可能な連係回転部が設けられていることを特徴とする窓開閉装置。
【請求項２】
前記回転伝達軸には電動モータが前記連係回転部と連係するように取付けられることを特徴とする請求項１記載の窓開閉装置。
【請求項３】
前記回転伝達軸にはその周囲を覆うカバー体が設けられ、該カバー体の周面には前記連係回転部を露出させる窓部が形成されることを特徴とする請求項２記載の窓開閉装置。
【請求項４】
前記電動モータにはその回転軸と連係するモータ連係部が設けられ、該モータ連係部は前記カバー体の窓部を介して前記連係回転部と連係することを特徴とする請求項３記載の窓開閉装置。
【請求項５】
建物開口部に取付けられる枠体内に障子を開閉機構を介して開閉自在に納めてなり、前記開閉機構を駆動して前記障子を開閉操作する請求項１〜４のいずれか１項に記載の窓開閉装置を備えたことを特徴とする開閉窓。
【発明の詳細な説明】
【技術分野】
【０００１】
本発明は、開閉窓を手動または自動で開閉させる窓開閉装置とそれを有した開閉窓に関し、特に自動で開閉させるための構成を容易に追加可能な窓開閉装置と開閉窓に関する。
【背景技術】
【０００２】
従来、平行突き出し窓やルーバー窓ならびに辷り出し窓などの開閉窓が知られており、これら開閉窓においては窓開閉装置によって窓の開閉を行うのが一般的である。窓開閉装置は、回動自在なハンドルを有して手動で直接操作されるものや、ハンドルの代わりにチェーン操作用プーリが設けられ、これに取付けられたチェーンにより手動で遠隔操作されるものなどがある。このように手動で操作される窓開閉装置に対し、電動で操作を行う窓開閉装置も利用されるようになっており、さらに手動で操作される窓開閉装置に電動で操作を行うための構成を追加するものも知られている。このような窓開閉装置としては、例えば特許文献１に挙げるようなものがある。
【特許文献１】特開２００５−２５６３９５号公報
【発明の開示】
【発明が解決しようとする課題】
【０００３】
特許文献１に記載された窓開閉装置は、回転操作を伝達する回転伝達軸のうち、手動ハンドル等を取付ける着脱部に対して、手動ハンドル等の代わりに電動モータを取付けるものである。したがって、電動モータを取付けてしまうと窓の開閉は電動でのみ行うことができ、手動では操作できないこととなる。しかし、電動モータを取付けた後であっても、停電の場合など手動で操作する必要が生じる場合があって、このような場合に窓を開閉することができない。
【０００４】
本発明は、前記課題を解決すべくなされたものであり、電動と手動の両方の手段により操作可能な窓開閉装置及び開閉窓を提供することを目的とする。
【課題を解決するための手段】
【０００５】
上記課題を解決するため、本発明にかかる窓開閉装置は、建物開口部に取付けられる枠体内に障子が開閉機構を介して開閉自在に納められた窓の前記開閉機構を駆動する駆動部と、該駆動部を手動で回転操作する操作部とを有した窓開閉装置において、
前記駆動部には一端に前記操作部を取付可能な着脱部を有する回転伝達軸が連結され、該回転伝達軸の中間位置には電動モータと連係可能な連係回転部が設けられていることを特徴として構成されている。
【０００６】
また、本発明にかかる窓開閉装置は、前記回転伝達軸には電動モータが前記連係回転部と連係するように取付けられることを特徴として構成されている。
【０００７】
さらに、本発明にかかる窓開閉装置は、前記回転伝達軸にはその周囲を覆うカバー体が設けられ、該カバー体の周面には前記連係回転部を露出させる窓部が形成されることを特徴として構成されている。
【０００８】
さらにまた、本発明にかかる窓開閉装置は、前記電動モータにはその回転軸と連係するモータ連係部が設けられ、該モータ連係部は前記カバー体の窓部を介して前記連係回転部と連係することを特徴として構成されている。
【０００９】
本発明にかかる開閉窓は、建物開口部に取付けられる枠体内に障子を開閉機構を介して開閉自在に納めてなり、前記開閉機構を駆動して前記障子を開閉操作する前記いずれかの窓開閉装置を備えたことを特徴として構成されている。
【発明の効果】
【００１０】
本発明にかかる窓開閉装置によれば、駆動部には一端に操作部を取付可能な着脱部を有する回転伝達軸が連結され、回転伝達軸の中間位置には電動モータと連係可能な連係回転部が設けられていることにより、手動により操作を行う操作部をそのまま残した状態で、電動モータを追加することで電動でも操作可能とすることができる。したがって、電動モータを追加した後であっても、手動と電動の両方の手段により窓の開閉を行うことができる。
【００１１】
また、本発明にかかる窓開閉装置によれば、回転伝達軸には電動モータが連係回転部と連係するように取付けられることにより、手動及び電動の両方で開閉操作を行うことができるようになる。
【００１２】
さらに、本発明にかかる窓開閉装置によれば、回転伝達軸にはその周囲を覆うカバー体が設けられ、カバー体の周面には連係回転部を露出させる窓部が形成されることにより、窓部を介して電動モータと回転伝達軸を容易に連係させることができる。
【００１３】
さらにまた、本発明にかかる窓開閉装置によれば、電動モータにはその回転軸と連係するモータ連係部が設けられ、モータ連係部はカバー体の窓部を介して連係回転部と連係することにより、電動モータの動力を確実に回転伝達軸に伝達することができる。
【００１４】
本発明にかかる開閉窓によれば、手動と電動の両方で障子を開閉することのできる窓とすることができ、また電動のための構成を容易に追加することができる。
【発明を実施するための最良の形態】
【００１５】
本発明の実施形態について、図面に沿って詳細に説明する。本実施形態では窓開閉装置を備えた開閉窓について説明する。図１には本実施形態における開閉窓の縦断面図を、図２には本実施形態における開閉窓の横断面図を、それぞれ示している。これら各図に示すように、本実施形態の開閉窓は、建物開口部に取付けられる枠体１内に開閉機構５を介して障子２を納めてなるものであり、障子２は開閉機構５によって室内外方向に平行に開閉自在とされている。すなわちこの開閉窓は平行突き出し窓として構成されている。
【００１６】
枠体１は、上枠１０と下枠１１及び左右の縦枠１２、１２を方形状に枠組みしてなるものであり、それぞれ室内端部にはアングル部１３が取付けられている。下枠１１のアングル部１３より室内側には床材７が取付けられ、上枠１０及び縦枠１２のアングル部１３より室内側にはそれぞれ額縁材８が取付けられる。
【００１７】
また、縦枠１２内には開閉機構５が取付けられ、これが障子２を支持すると共に開閉自在となるようにしている。開閉機構５は枠体１の室内側に設けられる窓開閉装置６に接続されており、窓開閉装置６を操作することによって開閉機構５を介し障子２を開閉させることができる。
【００１８】
障子２は、上框２０と下框２１及び左右の縦框２２、２２を方形状に框組みした框体３内にガラス体４を納めてなるものである。また、縦框２２は縦枠１２内に取付けられる開閉機構５に連結されており、これによって支持されると共に室内外方向に移動することができるようにされている。
【００１９】
窓開閉装置６は、縦枠１２の上下方向中間位置に取付けられ、開閉機構５を駆動する機構を内部に備えた駆動部３０と、駆動部３０から室内側に突出した位置に設けられ、駆動部３０を回転操作する操作部３１とを有している。駆動部３０と操作部３１は、回転伝達軸３２を介して連結されており、回転伝達軸３２はその周囲をカバー体３５によって覆われている。
【００２０】
操作部３１は略六角形状に形成されたハンドル部３１ａを有しており、これを回転操作することによって駆動部３０が開閉機構５を駆動し、障子２を開閉操作することができる。ただし、操作部３１の構成はこれに限られず、レバー状の部材により回転操作を行うものであってもよいし、またチェーンによる遠隔操作を行うためのチェーン用プーリであってもよい。また、操作部３１には取付部３０ｂが設けられ、この取付部３０ｂによって操作部３１を回転伝達軸３２の一端部に設けられる着脱部３３に対して着脱自在とする。
【００２１】
図１及び図２に示した状態において窓開閉装置６は、手動操作のみを行うことができるが、これに対して電動操作のための構成を追加することで、手動操作と電動操作の両方を行うことのできる開閉窓とすることができる。
【００２２】
図３には、電動操作のための構成を追加した窓開閉装置６付近の拡大図を示している。この図に示すように、回転伝達軸３２の周囲に設けられるカバー体３５に対し、電動モータ４１を内蔵したモータボックス４０を取付けることにより、回転伝達軸３２を介して駆動部３０を電動で駆動し、それによって開閉機構５を介して障子２を電動で開閉することができるようになる。モータボックス４０は、カバー体３５に対してビス止め等により直接固定するようにしてもよいし、金具を介して駆動部３０に対して固定するようにしてもよい。また、モータボックス４０は、図示しないが開閉窓の外部に設けられる電源及び電動モータ４１の制御部に接続される。
【００２３】
図４には、窓開閉装置６の側面図を示している。この図は図１及び図２とは反対側から見た窓開閉装置６を示している。回転伝達軸３２の周囲に設けられるカバー体３５には、その周面に窓部３５ａが形成されており、その内部を露出させるようにしている。モータボックス４０内の電動モータ４１は、この窓部３５ａを介して回転伝達軸３２と連係するように構成される。
【００２４】
図５には、窓開閉装置６の分解斜視図を示している。この図に示すように、駆動部３０からは回転自在な回転軸３０ａが突出しており、回転軸３０ａの先端部には周面に凹凸を有した円筒状に形成され、回転伝達軸３２を取付けるための取付部３０ｂが設けられている。この取付部３０ｂに対しては略円筒状の固定部材３６が固定される。固定部材３６の一端面には回転伝達軸３２を挿通可能な軸固定孔３６ａが形成されており、回転伝達軸３２の一端部を駆動部３０の取付部３０ｂと固定する。
【００２５】
回転伝達軸３２の他端部には、操作部３１を取付けるための着脱部３３が固定される。着脱部３３は駆動部３０の取付部３０ｂと略同様の構成からなり、操作部３１の取付部３１ｂに挿入されてこれを固定する。
【００２６】
また、回転伝達軸３２の中間位置には、歯車からなる連係回転部３４が取付固定される。連係回転部３４は、回転伝達軸３２と共に回転するように固定されるもので、モータボックス４０内の電動モータ４１と連係し、電動モータ４１の回転に伴ってその動力を回転伝達軸３２に伝達するものである。
【００２７】
一端部が固定部材３６を介して駆動部３０の取付部３１ｂに固定され、他端部には着脱部３３が設けられると共に、中間位置には連係回転部３４が取付固定された回転伝達軸３２は、前述のように周囲をカバー体３５によって覆われる。カバー体３５の窓部３５ａは、回転伝達軸３２の連係回転部３４の位置に対応して形成されており、これによって連係回転部３４を外部に露出させるようにしている。
【００２８】
モータボックス４０内には、前述のように電動モータ４１が内蔵され、さらにその回転軸４１ａと連係するモータ連係部４２が納められている。モータ連係部４２は歯車からなり、回転軸４１ａの先端部と連係すると共に、モータボックス４０がカバー体３５に取付けられると、窓部３５ａを介して回転伝達軸３２に取付けられた連係回転部３４と連係する。なお、回転軸４１ａの先端部にも歯車が設けられており、モータ連係部４２と回転軸４１ａとの直径比によって減速比が定まる。
【００２９】
図６には、窓開閉装置６を組立てた状態における内部の部品の配置を表した側面図を示している。この図に示すように、回転伝達軸３２は固定部材３６を介して駆動部３０の取付部３０ｂに固定され、また連係回転部３４と電動モータ４１は、モータ連係部４２を介して連係し、電動モータ４１の回転に伴って回転伝達軸３２が回転するように構成されている。この状態で、回転伝達軸３２は電動モータ４１により電動で操作することもできるし、回転伝達軸３２の着脱部３３に取付けられる操作部３１により手動で操作することもできる。
【００３０】
また、電動モータ４１は、図示しないがサッシの外部に設けられる電源及び制御部に接続される。サッシの外部にはさらに電動モータ４１を遠隔操作するための操作スイッチが設けられ、制御部は操作スイッチからの入力に応じて、電動モータ４１の回転及びその方向を制御する。
【００３１】
このように、モータボックス４０の電動モータ４１は、回転伝達軸３２の中間位置に設けられた連係回転部３４と連係するので、手動により操作を行う操作部３１をそのまま残した状態で、モータボックス４０を追加することで窓開閉装置６を電動でも操作可能とすることができる。したがって、モータボックス４０を追加した後であっても、手動と電動の両方の手段により窓の開閉を行うことができる。
【００３２】
本実施形態の開閉窓を、手動操作のみを行うことのできる状態から手動操作と電動操作の両方を行うことのできる状態に改装するには、電動モータ４１を内蔵したモータボックス４０を回転伝達軸３２の周囲に設けられたカバー体３５に対して取付け、それに伴って連係回転部３４とモータ連係部４２とをカバー体３５の窓部３５ａを介して連係させ、さらに電動モータ４１をサッシの外部に設けられる電源及び制御部に接続する。
【００３３】
以上、本発明の実施形態について説明したが、本発明の適用は本実施形態には限られず、その技術的思想の範囲内において様々に適用されうるものである。例えば、本実施形態では開閉窓として平行突き出し窓を示したが、窓開閉装置を用いる開閉窓であればどのような窓であってもよく、例えばルーバー窓や縦辷り出し窓及び横辷り出し窓などにも、本発明を適用することができる。
【図面の簡単な説明】
【００３４】
【図１】本実施形態における開閉窓の縦断面図である。
【図２】本実施形態における開閉窓の横断面図である。
【図３】モータボックスを取付けた窓開閉装置付近の拡大図である。
【図４】窓開閉装置の側面図である。
【図５】窓開閉装置の分解斜視図である。
【図６】窓開閉装置を組立てた状態における内部の部品の配置を示した側面図である。
【符号の説明】
【００３５】
１    枠体
２    障子
５    開閉機構
６    窓開閉装置
３０    駆動部
３０ａ  回転軸
３０ｂ  取付部
３１    操作部
３１ａ  ハンドル部
３１ｂ  取付部
３２    回転伝達軸
３３    着脱部
３４    連係回転部
３５    カバー体
３５ａ  窓部
３６    固定部材
４０    モータボックス
４１    電動モータ
４１ａ  回転軸
４２    モータ連係部
【図１】
2008038368.tif 000003
【図２】
2008038368.tif 000004
【図３】
2008038368.tif 000005
【図４】
2008038368.tif 000006
【図５】
2008038368.tif 000007
【図６】
2008038368.tif 000008